(57)【要約】【課題】  各種液体を所定の方向に（即ち、方向性良く）噴霧することができる噴霧器及び噴霧方法を提供すること。【解決手段】  ここで開示される「１種又は２種以上の液を２つ以上の噴出口からミスト状にして噴出す噴霧器１」は、少なくとも２つの相互に独立して設けられたミスト流路４、５と、該ミスト流路の上流部に前記液を供給する液供給手段７と、該ミスト流路の上流部にガスを供給するガス供給手段９とを備えている。ここで、それぞれの前記ミスト流路は、その先端に噴出口３６、３８が形成されているとともに、該噴出口に連なり、相互に略平行に形成された先端流路部を有することを特徴とする。好ましくは、前記液供給手段は、前記ミスト流路ごとに異なる液を供給可能に構成されている。【選択図】  図８
2006110646.tif 000002
【特許請求の範囲】
【請求項１】
１種又は２種以上の液を２つ以上の噴出口からミスト状にして噴き出す噴霧器において、
少なくとも２つの相互に独立して設けられたミスト流路と、
該ミスト流路の上流部に前記液を供給する液供給手段と、
該ミスト流路の上流部にガスを供給するガス供給手段とを備えており、
ここで、それぞれの前記ミスト流路は、その先端に前記噴出口が形成されているとともに、該噴出口に連なり、相互に略平行に形成された先端流路部を有することを特徴とする、噴霧器。
【請求項２】
前記液供給手段は、前記ミスト流路ごとに異なる液を供給可能に構成されている、請求項１記載の噴霧器。
【請求項３】
前記液供給手段は、前記ミスト流路ごとに前記液の供給量を調節可能に構成されている、請求項２記載の噴霧器。
【請求項４】
前記ガス供給手段は、前記ミスト流路ごとに前記ガスの供給量を調節可能に構成されている、請求項２又は３記載の噴霧器。
【請求項５】
１種又は２種以上の液を２つ以上の噴出口からミスト状にして噴き出す噴霧方法であって、
先端に前記噴出口を備えたミスト流路を相互に独立して少なくとも２つ用意することと、
少なくとも前記噴出口と連なる前記ミスト流路の先端流路部を相互に略平行に配置することと、
前記ミスト流路の上流部において、前記液とガスとを混合させてミストを供給することと、
該ミストをそれぞれ前記噴出口から噴霧することと、を含む、噴霧方法。
【請求項６】
請求項５記載の噴霧方法によってダイキャストの金型成形面に少なくとも離型剤を含む液を噴霧する方法であって、
前記液には少なくとも離型剤が含まれている、噴霧方法。
【請求項７】
請求項１〜４のうちのいずれかの噴霧器を用いる、請求項５又は６記載の噴霧方法。
【発明の詳細な説明】
【技術分野】
【０００１】
本発明は、各種液体を所定の方向に噴霧する方法及び噴霧器に関する。特に、工作機械又は工作物等の加工部（或いは加工面）に対し、２つ以上の噴出口から各種液体（ミスト）を方向性良く噴霧可能な方法及び噴霧器に関する。
【背景技術】
【０００２】
アルミダイキャスト工程では、金型に溶融アルミを流し込む前に、金型からのアルミ成型製品の型離れをよくするために、金型成形面（即ち、キャビティ表面）に離型剤を噴霧したり、或いは溶融アルミとの接触で高温となる金型を冷却するために冷却水などを噴霧することが行われている。このように離型剤や冷却水等の各種液体を工作機械の加工部等に噴霧する方法や噴霧装置としては、例えば、特許文献１〜１２に記載された技術が知られている。
【０００３】
このうち、特許文献１には、２種以上の液体を混合して噴射するために、複数個の霧状体噴射ノズルを設け、それぞれのノズルから互いに異なる液体を一箇所に向けた状態で噴射して、中央空間でこれら種類の異なる霧状体を混合する。そして、この混合霧状体を一つのノズルで吸入し、加工部に向かって該ノズルの噴射口から吐出する霧状体供給機能付加工装置が記載されている。
また、特許文献２及び３には、噴射ノズルを有する空気供給管内に２つ以上の液体供給管を配設し、これら液体供給管の先端開口部を噴射ノズルの噴射口に開口した霧状体供給装置が記載されている。  
【０００４】
しかしながら、アルミダイキャスト工程において、金型成形面（或いはキャビティ表面）に離型剤や冷却水等の２種以上の液体を２つ以上の噴出口から同時に噴霧する場合には、液体同士が進行方向においてぶつかり合い、相互干渉を起こして塗布すべき面に到達せずに飛散してしまうことがあった。このため、液体の損失が多く、不経済であるとともに、塗布面においては液体の付着むらが生じやすかった。また、液体の飛散によって、作業環境が悪化するという問題があった。
従って、２つ以上の噴出口から液体を所定の部位に方向性良く（即ち、塗布面に対して効率よく）噴霧することができることが望まれていた。
【０００５】
【特許文献１】特開平７−１２７９号公報
【特許文献２】特開２０００−８４７９０号公報
【特許文献３】特開２００１−３１０２３９号公報
【特許文献４】実開平６−８０５３２号公報
【特許文献５】実開平６−８０５３３号公報
【特許文献６】実開平６−８３２３８号公報
【特許文献７】特開平７−２４６８５号公報
【特許文献８】特開平９−６６４３７号公報
【特許文献９】特開２０００−８４７８９号公報
【特許文献１０】特開２０００−３０１４２８号公報
【特許文献１１】特開２０００−３０８９４７号公報
【特許文献１２】特開２００１−１５０２９３号公報
【発明の開示】
【発明が解決しようとする課題】
【０００６】
本発明は、各種液体の噴霧に関する上記従来の課題を解決すべく創出されたものであり、その目的とするところは、２つ以上の噴出口から各種液体を所定の方向に（即ち、方向性良く）噴霧することができる方法及び噴霧器を提供することである。
【課題を解決するための手段】
【０００７】
ここで開示される噴霧器は、１種又は２種以上の液を２つ以上の噴出口からミスト状にして噴き出す噴霧器である。かかる噴霧器は、少なくとも２つの相互に独立して設けられたミスト流路と、該ミスト流路の上流部に前記液を供給する液供給手段と、該ミスト流路の上流部にガスを供給するガス供給手段とを備えている。そして、それぞれの前記ミスト流路は、その先端に前記噴出口が形成されている。さらに、それぞれの前記ミスト流路は、該噴出口に連なり、相互に略平行に形成された先端流路部を有することを特徴とする。
【０００８】
かかる構成の噴霧器では、ミスト流路の上流部において液とガスとが供給・混合され、液とガスとからなるミストを得ることができる。そして、得られたミストを先端流路部に通過させ、そして噴出口から外部に噴霧する。ここで、少なくとも２つの異なるミスト流路から噴霧されるミストは、噴出直前に略平行に形成された先端流路部を通過するために、各噴出口から噴出した直後のミストは互いに進路方向が略平行となる。このため、異なる噴出口から噴出するミスト同士が互いに衝突しにくい。従って、ミストを方向性よく噴霧することができる。
かかる構成の噴霧器は、特に好適には極少量の液を（即ち、濃度が低いミスト、又は遅い供給速度で）方向性よく噴霧するために適している。
【０００９】
好ましい態様において、前記液供給手段は、前記ミスト流路ごとに異なる液を供給可能に構成されている。この構成により、異なる複数種類の液をそれぞれ独立した異なるミスト流路から所定の方向に噴霧することができる。また、噴出口まで独立したミスト流路を通過し、噴出直前まで異なる液同士が混合することがないために、異なる種類の液が混合されることによる液の品質劣化が防止される。
特に、異なる液としては、少なくとも油性の液と、水性の液とを含むことができる。このように互いに反発する性質の液同士であっても、互いに噴霧進路を阻害されることなく、均一に所定方向に噴霧することができる。
【００１０】
この構成の好ましい態様において、前記液供給手段は、前記ミスト流路ごとに前記液の供給量を調節可能に構成されている。この構成により、液ごとに必要な噴霧量を調節可能であるとともに、異なる液同士の配合比を調節することができる。
【００１１】
また、この構成の好ましい態様において、前記ガス供給手段は、前記ミスト流路ごとに前記ガスの供給量を調節可能に構成されている。この構成によれば、液の粘度や噴霧量に応じて、液ごとにガスの供給量を調節することによって、各液の噴霧量を調整することができる。
【００１２】
また、本発明は、他の側面として、１種又は２種以上の液を２つ以上の噴出口からミスト状にして噴き出す噴霧方法を提供する。該方法は、先端に前記噴出口を備えたミスト流路を相互に独立して少なくとも２つ用意することと、少なくとも前記噴出口と連なる前記ミスト流路の先端流路部を相互に略平行に配置することと、前記ミスト流路の上流部において、前記液とガスとを混合させてミストを供給することと、該ミストをそれぞれ前記噴出口から噴霧することとを含む。
【００１３】
かかる構成の方法によれば、相互に独立した少なくとも２つのミスト流路を用意して、その少なくとも噴出口と連なる先端流路部を相互に略平行に配置することによって、２つ以上の噴出口からミストを互いに略平行に噴出することができる。このため、異なる流路（噴出口）から噴出したミスト同士であっても互いに衝突しにくく、方向性良く噴霧することができる。
【００１４】
また、この方法は、好ましい態様において、ダイキャストの金型成形面に少なくとも離型剤を含む液を噴霧するために用いることができる。この場合、前記液には少なくとも離型剤が含まれている。好ましくは、離型剤は、油性である。
かかる方法で金型成形面に離型剤を噴霧することによって、金型成形面の所望の部分に２つ以上の噴出口から方向性良く離型剤（及び所望により他の液、例えば冷却液）を含む液を同時に噴霧することができる。従って、均一に金型成形面に離型剤を塗布することができるとともに、離型剤の損失が低減される。
この方法は、好ましくはここで開示されるいずれかの噴霧器によって実施することができる。
【発明を実施するための最良の形態】
【００１５】
以下、本発明の好適な実施形態を説明する。なお、本明細書において特に言及している事項（例えば、ミスト流路の先端流路部、噴出口、液供給手段、及びガス供給手段の構成）以外の事柄であって本発明の実施に必要な事柄（例えば、液やガスの種類、噴霧対象物の構成やその構築方法）は、当該分野における従来技術に基づく当業者の設計事項として把握され得る。本発明は、本明細書に開示されている内容と当該分野における技術常識とに基づいて実施することができる。
【００１６】
まず、本発明の具体的な一実施形態に係る噴霧器について図面を参照して説明する。
図１〜図８に噴霧器１の一構成例を示す。図１はその正面図、図２はその側面図、図３はその背面図、図４はその底面図、図５はその平面図、図６はその分解図であり、図７は図２に示すＶＩＩ‐ＶＩＩ線の断面図、及び図８は図１に示すＶＩＩＩ‐ＶＩＩＩ線の断面図である。
この装置１は、大まかに言って、噴霧器の本体を構成するケーシング３と、ミスト流路４、５と、液供給手段７と、ガス供給手段９とから構成される。また、液及びガスの供給量を調節可能なピストン（即ち、液及びガス供給調節手段）４３、４４を備えている。
【００１７】
図１に示すように、ケーシング３は、ピストン押さえプレート１１と、本体１３と、ノズルプレート１５と、ノズルキャップ１７とから構成されている。図５に示すように、ピストン押さえプレート１１は、長方形の板状体であって、ネジ１９によって本体１３に連結されている。また、その中心部には、後述するピストン４３、４４を押圧する調節ネジ２１、２２を挿入可能な貫通孔２３が２個並んで設けられている（図７、８）。
【００１８】
図１〜４に示すように、本体１３及びノズルプレート１５は、角柱状であって、ネジ２５によって連結されている。また、ノズルキャップ１７は、ノズルプレート１５に隣接する角柱部２９、中心円筒部３１、及び先端円筒部３３が一体に成形されて構成されており、先端に向かって段階的に幅及び直径が小さくなっている。ノズルキャップ１７は、ネジ２７によってノズルプレート１５に連結されている。
【００１９】
図７、８によく示されているように、ノズルキャップ１７の先端部分には、ミスト流路４、５が形成されている。これらは、第一ミスト流路４と第二ミスト流路５との２本から構成される。第一ミスト流路４及び第二ミスト流路５は、ノズルキャップ１７の先端円筒部３３内において互いに略平行に、かつノズルキャップ１７の先端底面部３５に対して略垂直に、独立して形成されている。その一端となる噴出口３６、３８が、ノズルキャップ１７の先端底面部３５にそれぞれ開口しており、該噴出口３６、３８からミストを噴出可能に構成されている。
【００２０】
図１に示すように、本噴霧器１における液供給手段７は、本体１３の正面３７に２箇所の液供給口３９、４０を独立して有するとともに、該液供給口３９、４０からそれぞれ第一ミスト流路４及び第二ミスト流路５に独立して連通する液流路４１、４２を備えている（図７、８）。尚、本噴霧器１の構成とは直接関係はないが、噴霧する液（水又は液剤）は、図示しない液供給器から液供給口３９、４０に適当な送液手段（ポンプ等）を介して注入される構成であればよい。
【００２１】
図７、８に示すように、液流路４１、４２は、本体１３の正面３７（図１）に対して略垂直に本体１３の奥行き方向に対して略中心部１４まで直進する第一液流路６９と、略中心部１４から略垂直に底面に向かって曲がる第二液流路７１、７２と、ノズルプレート１５の幅方向に略垂直に曲がる極細の第三液流路７３、７４と、さらに噴出口３６、３８に連通するようにノズルキャップ１７の底面部３５に向かって略垂直に曲折する第四液流路６、８とが連通して形成されている。図には詳細に表されていないが、第二液流路７１、７２は、下流にいくほどわずかに幅が狭くなるテーパ形状に形成されており、後述するピストン４３、４４の胴部８５、８７の嵌合によって液の流動が止められる。また、最下流側においてその幅が奥行き方向に極細に狭まるピストン係止部９３（図８）が形成されている。第四液流路６、８は、極薄いスチール箔から形成された２本のチューブ体がノズルキャップ１７内に挿入されて形成されており、後述するガス供給手段から該流路６、８にガスが漏出することを防止している。
【００２２】
他方、図１と図７、８に示すように、本噴霧器１におけるガス供給手段９は、本体１３の正面３７に液供給口３９、４０と隣接して２箇所のガス供給口４９、５０を有するとともに、該ガス供給口４９、５０からそれぞれ第一ミスト流路４及び第二ミスト流路５に連通するガス流路５１、５２を備えている。尚、本噴霧器１の構成とは直接関係はないが、供給するガス（典型的には空気）は、図示しないガス供給器からガス供給口４９、５０に適当なガス供給手段（コンプレッサー等）を介して注入される構成であればよい。
図７、８に示すように、ガス流路５１、５２は、本体１３においてピストン押さえプレート１１側に開口部９５、９７を有する略立方形状の第一ガス流路７５、７６（図７）と、そこから筒状となって略垂直に底面に向かって曲がる第二ガス流路７７（図８）と、第一ミスト流路４及び第二ミスト流路５に連通するようにノズルプレート１５の正面側に向かって斜めに曲折しつつ底面部３５に向かう第三ガス流路７９、８１とが連通して形成されている。第一ガス流路５１、５２の開口部９５、９７は、ピストン押さえプレート１１によって閉塞されている。また、ガス供給口４９，５０は、第一ガス流路７５、７６においてガス流出方向（即ち、底面部３５側）に開口して形成されている。
【００２３】
図６に示すように、ピストン４３、４４は、ピストン頭５７、５９と、胴部８５、８７と、先端部６５、６７とから構成されている。図７、８に示すように、ピストン頭５７、５９は、断面正方形の略平板状であって、ガス流路５１、５２の第一ガス流路７５、７６においてガス供給口４９、５０よりもガス流出方向と反対側（即ち、ピストン押さえプレート１１側）にガス供給口４９、５０に係らずに気密に配置されている。また、ピストン頭５７、５９は、第一ガス流路７５、７６において、調節ネジ２１、２２、後述するバネ４５、４６、４７、４８及び第一ガス流路７４、７６からの供給されるガス圧によって、ピストン押さえプレート１１側へ可逆的に移動可能に配置されている。
【００２４】
ピストン４３、４４の胴部８５、８７は、棒状であって、第一ガス流路７５、７６を横断して液流路４１、４２の第二液流路７１、７２に挿入されている。尚、第二液流路７１、７２は、第一ガス流路７５、７６において、胴部８５、８７の周囲をガスは流通可能である。また、第一ガス流路７５，７６と第二液流路７１、７２との間を気密にするために、ピストン４３、４４の胴部８５、８７周囲には、複数のワッシャー５４、５６が配置されている（図７、８）。
図６に示すように、ピストン４３、４４の先端部６５、６７は、円錐形であって、第二液流路７１、７２のピストン係止部９３によって下流側への移動を阻止されている（図８）。即ち、ピストン４３、４４は、ピストン係止部９３によって先端部６５、６７が液の下流側へ移動することを阻止されることにより、常にピストン頭５７、５９をガス供給口４９、５０に対してガス流出方向と反対側の位置（即ち、ピストン押さえプレート１１側）に保持している。
【００２５】
図７、８に示すように、ピストン頭５７、５９は、その上面にピストン押さえプレート１１を貫通して挿入された調節ネジ２１、２２先端を嵌め込む凹部８９、９１を有する。また、調節ネジ２１、２２の外周において、ピストン押さえプレート１１と調節ネジ２１、２２のネジ頭５３、５５との間、及びピストン押さえプレート１１とピストン４３、４４のピストン頭５７、５９との間にそれぞれバネ４５、４６、４７、４８が設けられている。この構成により、ピストン頭５７、５９は、調節ネジ２１、２２によってノズルキャップ１７側へ押圧される構成となっている。
【００２６】
そして、第一ガス流路７５、７６にガス供給口４９、５０から所定の圧力が加えられたガスが流入すると、その圧力によって調節ネジ２１、２２を押し返し、ピストン頭５７、５９をピストン押さえプレート１１側へ可逆的に移動可能としている。従って、供給するガス圧によって、ピストン４３、４４の位置を自在に変更させることができる構成となっている。
【００２７】
さらに、本噴霧器１では、ピストン４３、４４が、ピストン係止部９３によって係止されている場合には、ピストン４３，４４の胴部８５、８７が第一液流路６９と第二液流路７１、７２との交差部９９を密閉し、第一液流路６９と第二液流路７１、７２との連通を阻止している。さらに、第二液流路７１、７２内に嵌合されたピストン４３、４４の胴部８５、８７が第二液流路７１、７２を完全に塞ぐため、液の流動はストップされた状態である。一方、ピストン４３、４４が、ガス供給口４９、５０から流入されるガスの圧力によってピストン押さえプレート１１側に移動すると、ピストン４３、４４の胴部８５、８７と第二液流路７１、７２の壁面との間に隙間が生じ、第一液流路６９と第二液流路７１、７２とが連通し、液の流動が開始される。従って、本発明によって、ガスの供給と停止に連動させて、液の供給と停止が行われる機構を備えた噴霧器が提供される。また、本実施形態のように、ピストンの動きを調製することによって、ごく微量の液をガスの供給に連動させて供給することができる。
【００２８】
さらに、一方の液流路４１とガス流路５１とは、本体１３及びノズルプレート１５内部において互いに独立して形成されているとともに、ノズルキャップ１７内部に設けられた第一ミスト流路４にそれぞれ連通している。他方の液流路４２とガス流路５２とは、本体１３及びノズルプレート１５内部において互いに独立して形成されているとともに、ノズルキャップ１７内部に設けられた第二ミスト流路５にそれぞれ連通している。このように独立して液流路及びガス流路を設けることによって、例えば、上述の機構によってミスト流路ごとにガス及び液の供給量を調節することができる。
【００２９】
次に、図９を参照して、前記構成の噴霧器１を用いて、異なる２種の液を噴霧する方法を説明する。尚、図９においては、ミストの噴出方向をより理解しやすいように、噴霧器１の噴出口３６、３８付近を一部断面で示している。
本実施形態では、離型剤液と冷却液とをアルミダイキャスト成形面（キャビティ表面）１０１に噴霧する方法について説明する。本実施形態において、離型剤液としては、粘度が約２．５〜４．５ｍＰａ・ｓの精製基油を用いた。冷却液としては、水を用いた。また、図９において、離型剤液ミスト１０３及び冷却液ミスト１０５を模式的にドット状に示している。
【００３０】
まず、一方の液供給口３９から図示しない離型剤供給器によって、離型剤液を噴霧器１内に供給した。さらに、異なる液供給口４０から図示しない冷却液供給器によって、冷却液を噴霧器1内に供給した。尚、噴霧器１内に供給されたこれら液剤は、ガスが供給されない場合には、表面張力によって第四液流路６、８の先端で停止し、ミスト流路４、５には液は供給されない。
また、図示しないガス供給器、好適にはコンプレッサーによって、ガス供給口４９、５０から空気を供給した。空気の供給圧は、それぞれ離型剤液が供給されるガス供給口４９にあっては約０．４ＭＰａ、冷却液が供給されるガス供給口５０にあっては約０．３〜０．７ＭＰａとした。
【００３１】
ガス供給手段９のガス供給口４９から上記圧により空気が供給されると、その圧力でピストン４３がピストン押さえプレート１１側に移動し、第一液流路６９と第二液流路７１とが連通した。一方、空気はガス流路５１を通過した。その後、空気はガス流路５１に連通する第一ミスト流路４に流出された。
そして、ガスの流動に引き寄せられるようにして、離型剤液が、第四液流路６から第一ミスト流路４に導入された。このときの導入速度（即ち、供給速度）は、約０．０５ｍｌ／秒であった。本実施形態の上記ミスト形成手段によると、このような低速（即ち、少量）での液の供給を可能とする。
而して、第一ミスト流路４において、離型剤液と空気とが混合されて、離型剤含有ミスト１０３が生成した。得られた離型剤含有ミスト１０３は、そのまま、ガスの流れとともに第一ミスト流路４を通過して、ノズルキャップ１７の先端底面部３５に形成された噴出口３６から噴出した。このときの離型剤含有ミスト１０３の噴射圧は、約０．０２ＭＰａであった。
【００３２】
同様に、ガス供給手段９のガス供給口５０から上記圧で空気が供給されると、その圧力でピストン４４がピストン押さえプレート１１側に移動し、第一液流路と第二液流路７２とが連通した。一方、空気はガス流路５２を通過した。その後、空気はガス流路５２に連通する第二ミスト流路５に流出した。
そして、ガスの流動に引き寄せられるようにして、冷却液が、第四液流路８から第二ミスト流路５に導入された。このときの導入速度（即ち、供給速度）は、約１〜２．５ｍｌ／秒であった。
而して、第二ミスト流路５において、冷却液と空気とが混合されて、冷却液含有ミスト１０５が生成した。得られた冷却液含有ミスト１０５は、そのままガスの流れとともに第二ミスト流路５を通過して、ノズルキャップ１７の先端底面部３５に形成された噴出口３８から噴出した。このときの冷却液含有ミスト１０５の噴射圧は、約０．２〜０．６ＭＰａであった。
【００３３】
図９に模式的に示すように、離型剤含有ミスト１０３及び冷却液含有ミスト１０５は、互いに略平行に形成された第一ミスト流路４及び第二ミスト流路５を通過して噴出しているために、進路が共にほぼ平行である。従って、互いに干渉することが低減され、離型剤液の供給速度が約０．０５ｍｌ／秒といった極少量であっても、所定の噴出方向に、即ち直進させて噴霧することができる。
【００３４】
そして、所定時間の噴出が終了し、ガス供給手段９からの空気の供給を停止すると、空気圧がピストン頭５７、５９に負荷されなくなる。この結果、ピストン４３、４４は、調節ネジ２１、２２及びバネ４５、４６、４７、４８によってノズルキャップ１７の先端底面部３５側に押圧され、ピストン係止部９３によって係止される。同時に、ピストン４３、４４の胴部８５、８７が第二液流路７１、７２内に密接して嵌合され、第一液流路６９と第二液流路７１、７２との連通を阻止する。これにより、液、即ち、離型剤液及び冷却液の供給が停止される。即ち、上述の通り、第四液流路６、８の先端で表面張力によってミスト流路４、５への漏出も防止される。
【００３５】
以上のように、本噴霧器１では、ガス供給手段９からのガスの供給を、ガス供給口４９、５０ごとに制御することによって、離型剤液及び冷却液の供給又は停止をそれぞれ独立して行うことができる。また、離型剤液及び冷却液の粘度及び供給量に応じて、ガス圧をガス供給口４９、５０ごとに制御することによって、それぞれ独立して供給量（供給速度）を調節することができる。
特に、本実施形態によれば、液及びガス供給調節手段として機能するピストン４３、４４がガス供給手段９からのガスの供給及び停止に伴い、液供給手段７の液流路の開閉を自在とするため、ガスの供給を制御することによって、極少量の液であっても、正確に供給量及び方向を制御して噴出させることができる。
【００３６】
ここで開示される噴霧器は、相互に独立して設けられたミスト流路において、噴出口に連なる先端流路部を相互に略平行に形成（或いは配置）すればよく、上述の目的を達成し得る限りにおいて、他の構成や手段に特に制限はない。
尚、本実施形態の噴霧器１においては、第一ミスト流路４及び第二ミスト流路５の全体が互いに略平行に形成されている。即ち、本実施形態においては、第一ミスト流路４及び第二ミスト流路５全体が先端流路部として構成されている。しかしながら、第一ミスト流路４及び第二ミスト流路５の先端部分のみが略平行に形成されていてもよい。また、第一ミスト流路４及び第二ミスト流路５は、ノズルキャップ１７の先端円筒部３３内において比較的短い距離に形成されているために液の品質低下が防止されているが、例えば、ノズルキャップ１７を貫通するようなより長い流路に形成することによって、より方向性を高めることもできる。
さらに、本実施形態において、供給する液を２種としたが、これに限定されず、液は３種若しくは４種以上用いることができる。この場合、噴霧器における液供給口及び液流路、ガス供給口及びガス流路、さらにこれらに対応するミスト流路を同様に３つ又は４つ以上独立して設ければよい。
また、好ましい本実施形態では、１つのノズル（キャップ）内に、複数のミスト流路が一体に形成されているが、これに限定されず、噴霧器の本体から分岐した２つ以上のノズル（内部にミスト流路が形成されたもの）を少なくともその先端が相互に平行となる位置関係で隣接しても設けてもよい。
【００３７】
以上、本発明の好適な実施形態を詳細に説明したが、これらは例示にすぎず、特許請求の範囲を限定するものではない。特許請求の範囲に記載の技術には、以上に例示した態様を様々に変形、変更したものが含まれる。また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００３８】
【図１】一実施形態に係る噴霧器の正面図である。
【図２】一実施形態に係る噴霧器の側面図である。
【図３】一実施形態に係る噴霧器の背面図である。
【図４】一実施形態に係る噴霧器の底面図である。
【図５】一実施形態に係る噴霧器の平面図である。
【図６】一実施形態に係る噴霧器の部品分解図である。
【図７】図２のＶＩＩ‐ＶＩＩ線断面図である。
【図８】図１のＶＩＩＩ‐ＶＩＩＩ線断面図である。
【図９】一実施形態に係る噴霧方法を示す説明図である。
【符号の説明】
【００３９】
１；噴霧器
３；ケーシング
４；第一ミスト流路
５；第二ミスト流路
７；液供給手段
９；ガス供給手段
３６、３８；噴出口
３９、４０；液供給口
４１、４２；液流路
４３、４４；ピストン
４９、５０；ガス供給口
５１、５２；ガス流路
【図１】
2006110646.tif 000003
【図２】
2006110646.tif 000004
【図３】
2006110646.tif 000005
【図４】
2006110646.tif 000006
【図５】
2006110646.tif 000007
【図６】
2006110646.tif 000008
【図７】
2006110646.tif 000009
【図８】
2006110646.tif 000010
【図９】
2006110646.tif 000011